(57)【要約】【課題】自動壁紙糊付機の操作ボックスの取り付け状態を、作業する人の利き手等の違いに合わせて、最適な操作ポジションを得ることができるよう容易に変更できるようにする。【解決手段】操作ボックス20を、左右取手16の内側でスライド式に左、中央および右に移動させて、作業する人の利き手等の違いに合わせて取り付け位置を容易に変更することができ、且つ、固定位置で水平方向および垂直方向に角度調整し、各人の好みに合わせて取り付け位置を容易に変更することができ、使い易いポジションで作業できるようにする。操作ボックス20はホルダーを介して上部ステー24にスライド可能に取り付けるのがよい。【選択図】  図１
2007196196.tif 000002
【特許請求の範囲】
【請求項１】
糊付けする壁紙の長さを設定するための入力操作を行う操作部と、該操作部による入力操作で設定した壁紙の長さを表示するとともに実際に糊付けした壁紙の長さを表示する表示部とを備えた操作ボックスを、スライド式に移動させ、自動壁紙糊付機本体上部の任意の位置で固定できるよう構成したことを特徴とする自動壁紙糊付機。
【請求項２】
前記操作ボックスが、無線通信式の記憶機能付入出力装置である請求項１に記載の自動壁紙糊付機。
【請求項３】
前記操作ボックスの水平方向又は垂直方向若しくは水平方向と垂直方向の両方の傾きを調整可能にしたことを特徴とする請求項１または２に記載の自動壁紙糊付機。
【請求項４】
前記操作ボックスを自動壁紙糊付機本体正面側の上部ステーにスライド可能に取り付けたことを特徴とする請求項１、２または３に記載の自動壁紙糊付機。
【請求項５】
前記操作ボックスを脱着自在に装着保持するホルダを設け、該ホルダを介して、操作ボックスを自動壁紙糊付機本体正面側の上部ステーにスライド可能に取り付けたことを特徴とする請求項１、２または３に記載の自動壁紙糊付機。
【発明の詳細な説明】
【技術分野】
【０００１】
本発明は、自動壁紙糊付機に関し、特に、操作ボックスの取り付け位置を左、中央、右に移動可能にし、また、取り付け角度を調整可能にするための技術に関する。
【背景技術】
【０００２】
自動壁紙糊付機の操作ボックスには、自動壁紙糊付機を駆動するモーターなどの駆動系制御部との間、糊付した壁紙の長さを測定するためのパルス信号発生部との間のデータの送受信を、有線方式で行うものと、赤外線や電波などの無線通信方式で行うものとがある。
【０００３】
そして、有線方式では、自動壁紙糊付機本体の左側面カバーの左側の特定位置に操作ボックスを取り付けるものがあり、また、自動壁紙糊付機本体の右側面カバーの右側の特定位置に操作ボックスを取り付けるものがある。これらはいずれも、モーターなどの駆動系制御部と、実際に糊付けした壁紙の長さを測定するパルス信号発生部と、実際に糊付けした壁紙の長さをリアルタイムに表示する表示部と、設定する長さをキースイッチから入力するための操作部と、操作部で入力する際のキースイッチ操作中に設定した長さを表示する表示部とが一体となった箱状の操作ボックスを備えるものである。
【０００４】
その他、有線方式には、自動壁紙糊付機を運搬するための左右取手の内側中央の特定位置に操作ボックスを取り付けたもので、モーターなどの駆動系制御部と、実際に糊付けした壁紙の長さを測定するパルス信号演算部とが１つの箱になっており、実際に糊付けした壁紙の長さをリアルタイムに表示する表示部と、設定する長さをキースイッチから入力するための操作部と、操作部で入力する際のキースイッチ操作中に設定した長さを表示する表示部とが別の１つの箱になっていて、この間を有線で接続してデータの送受信をする操作ボックスを備えたものが知られている。
【０００５】
また、やはり有線方式で、自動壁紙糊付機を運搬するための左右取手の内側中央の特定位置に操作ボックスを取り付けたものであり、モーターなどの駆動系制御部と、実際に糊付けした壁紙の長さを測定するパルス信号演算部とが１つの箱になっており、実際に糊付けした壁紙の長さをリアルタイムに表示する表示部と、設定する長さをキースイッチから入力するための操作部と、操作部で入力する際のキースイッチ操作中に設定した長さを表示する表示部とが別の１つの箱になっていて、この間を有線で接続してデータの送受信をする操作ボックスを備えたものであって、操作ボックスの機能のうちの、設定する長さをキースイッチから入力するための操作部の機能と、操作部で入力する際のキースイッチ操作中に設定した長さを表示する表示部の機能とを備えたリモコン式の入力装置を別途設け、このリモコン式の入力装置から、操作ボックスの実際に糊付けした壁紙の長さをリアルタイムに表示する表示部と、設定する長さをキースイッチから入力するための操作部と、操作部で入力する際のキースイッチ操作中に設定した長さを表示する表示部とに、設定した長さや枚数等の、これから糊付けする情報データーを送信のみするようにしたものが知られている（例えば、特許文献１参照。）。
【０００６】
さらに、やはり有線方式で、自動壁紙糊付機を運搬するための左右取手の内側中央の特定位置に操作ボックスを取り付けたものであり、モーターなどの駆動系制御部と、実際に糊付けした壁紙の長さを測定するパルス信号発生部とが１つの箱になっており、実際に糊付けした壁紙の長さをリアルタイムに表示する表示部と、設定する長さをキースイッチから入力するための操作部と、操作部で入力する際のキースイッチ操作中に設定した長さを表示する表示部とが別の１つの箱になっていて、この間を有線で接続してデータの送受信をする操作ボックスを備えたものであって、操作ボックスの機能のうちの、設定する長さをキースイッチから入力するための操作部の機能と、操作部で入力する際のキースイッチ操作中に設定した長さを表示する表示部の機能とを備えた入力装置を別途設け、この入力装置と、操作ボックスの実際に糊付けした壁紙の長さをリアルタイムに表示する表示部と、設定する長さをキースイッチから入力するための操作部と、操作部で入力する際のキースイッチ操作中に設定した長さを表示する表示部とに、設定した長さや枚数等の、これから糊付ける情報データーを、有線で送信のみするようにしたものも知られている（例えば、特許文献２参照。）。
【０００７】
また、無線通信方式では、自動壁紙糊付機本体の近くの任意の位置に操作ボックス（記憶機能付入出力装置）を取り付け、モーターなどの駆動系制御部と、実際に糊付けした壁紙の長さを測定するパルス信号発生部とを１つの箱にし、実際に糊付けした壁紙の長さをリアルタイムに表示する表示部と、設定する長さをキースイッチから入力するための操作部と、操作部で入力する際のキースイッチ操作中に設定した長さの表示部とを別の１つの箱として、この間を無線で双方向でデーターの送受信をするようにしたものが知られている（例えば、特許文献３参照。）。
【０００８】
【特許文献１】特開平９−２９９８４７号公報
【特許文献２】実開平６−１１８６５号公報
【特許文献３】特開２０００−３３３０３号公報
【発明の開示】
【発明が解決しようとする課題】
【０００９】
しかしながら、従来の自動壁紙糊付機は、操作ボックスが有線方式の例では、操作ボックスが特定の位置に固定されていて、作業する人の利き手等の違いに合わせて操作ボックスの位置を調整できないため、最適な操作ポジションを得ることができない場合がある。また、無線通信方式の例では、任意の位置に操作ボックス（記憶機能付入出力装置）を取り付けることができるが、作業する人の利き手等の違いに合わせて操作ボックスの取り付け位置を容易に変更できるというものではなく、また、操作ボックスを取り付けた状態でその角度、特に、水平方向の角度を調整できないため、最適な操作ポジションを得ることができない場合がある。
【００１０】
本発明は、こうした事情に基づくもので、自動壁紙糊付機の操作ボックスの取り付け状態を、作業する人の利き手等の違いに合わせて、最適な操作ポジションを得ることができるよう容易に変更できるようにすることを目的とする。
【課題を解決するための手段】
【００１１】
本発明の自動壁紙糊付機は、糊付けする壁紙の長さを設定するための入力操作を行う操作部と、この操作部による入力操作で設定した壁紙の長さを表示するとともに実際に糊付けした壁紙の長さを表示する表示部とを備えた操作ボックスを、スライド式に移動させ、自動壁紙糊付機本体上部の任意の位置で固定できるよう構成したものである。操作ボックスは、有線式であってもよく、無線通信方式の記憶機能付入出力装置であってもよい。
【００１２】
この自動壁紙糊付機は、例えば操作ボックスが有線方式である場合に、操作ボックスをスライド式に移動させて自動壁紙糊付機本体上部の左右取手の内側の任意の位置で固定できるので、作業する人の利き手等の違いに合わせて取り付け位置を容易に変更することができ、複数の人が共同で使う場合でも、各人の好みに合わせて取り付け位置を容易に変更することができて、使い易いポジションで作業できる。例えば、糊容器箱のようなものに座って作業する場合に、右手で操作ボックスを操作したい人は、右端に操作ボックスを移動させて固定すれば、右手を斜め上に伸ばすとすぐ手が届くので自然体で楽に作業することができ、左手で操作ボックスを操作したい人は、左端に操作ボックスを移動させて固定すれば、左手を斜め上に伸ばすとすぐ手が届くので自然体で楽に作業することができる。操作ボックスが無線通信方式の記憶機能付入出力装置である場合もこれと同様である。
【００１３】
また、この自動壁紙糊付機は、操作ボックスの水平方向又は垂直方向若しくは水平方向と垂直方向の両方の傾きを調整可能にするのがよい。そうすることで、真正面より少し右に座って作業したり、あるいは、少し左に座って作業する場合でも、水平方向の傾きを調整することにより、操作がし易くなる。また、作業する人の座高の違いがあっても、垂直方向の傾きを調整することで、操作ボックスの表示部が見やすくなり、操作し易くなる。
【００１４】
操作ボックスは、自動壁紙糊付機本体正面側の上部ステーにスライド可能に取り付けるのがよく、特に、操作ボックスを脱着自在に装着保持するホルダを設け、このホルダを介して、操作ボックスを自動壁紙糊付機本体正面側の上部ステーにスライド可能に取り付けるのがよい。こうすることで、簡単な構成により、操作ボックスの取り付け状態を変更可能とすることができる。
【発明の効果】
【００１５】
以上のとおり、本発明の自動壁紙糊付機は、作業する人の利き手等の違いに合わせて操作ボックスの取り付け位置を容易に変更することができ、最適ポジションで作業できるようにすることができる。
【００１６】
また、この自動壁紙糊付機は、操作ボックスの水平方向および垂直方向の傾きを調整可能にすることで、作業する人の座る位置に合わせ、また、作業する人の座高等の違いに合わせて、操作ボックスを見やすい角度に調整することができ、操作し易くなる。
【００１７】
また、この自動壁紙糊付機は、操作ボックスを自動壁紙糊付機本体正面側の上部ステーにスライド可能に取り付けることにより、特に、操作ボックスを脱着自在に装着保持するホルダを設け、このホルダを介して、操作ボックスを自動壁紙糊付機本体正面側の上部ステーにスライド可能に取り付けることにより、簡単な構成により、操作ボックスの取り付け状態を変更可能とすることができる。
【発明を実施するための最良の形態】
【００１８】
以下、本発明の実施形態を図面に基づいて説明する。
【００１９】
（第１実施形態）
図１〜図５は、本発明の第１実施形態を示す。図１は自動壁紙糊付機の全体図、図２は自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図、図３は自動壁紙糊付機の操作部の移動に伴う上部ステー内部のフレキシブル電線の動きを示す説明図で、（ａ）は操作ボックスを左端へ移動させた時の状態図、（ｂ）は操作ボックスを中央へ移動させた時の状態図、（ｃ）は操作ボックスを右端に移動させた時の状態図、図４は自動壁紙糊付機の操作ボックスを右端に固定して操作している状態を示す説明図、図５は自動壁紙糊付機の操作ボックスを左端に固定して操作している状態を示す説明図である。
【００２０】
この自動壁紙糊付機は、従来の自動壁紙糊付機同様、上部フレーム１、下部フレーム２、上部カバー３、下部カバー４、脚５、検尺ローラー６、送り出しローラー７、ハイテンションローラー８、ドクターローラー９、糊付けローラー10、押えローラー11、ナラシローラー12、糊切り13、糊切りブラケット14、糊箱15、取手16、紙受けブラケット17、原反芯棒18、サイド盤19等を備えている。
【００２１】
そして、この自動壁紙糊付機は、左、中央および右に移動して取り付けることができるとともに、取り付けた位置で水平方向および垂直方向に角度調整可能な操作ボックス20を備えている。また、自動壁紙糊付機本体の左端側部には、モーター駆動制御部21と、壁紙の長さ測定用のパルス発生部22が設けられ、これらと操作ボックス20は、フレキシブル電線23で接続され、信号を送受するよう構成されている。
【００２２】
図１は、操作ボックス20を右端に移動させて取り付け、垂直から２５度後ろへ倒し、水平方向に真正面向きから２０度内側へ向けた位置で固定した状態を示している。
【００２３】
自動壁紙糊付機は、正面手前に上部ステー24を備えている。この上部ステー24は、図２に示すように、断面矩形の筒状で、内部が空洞となり、天井面に細長い溝24ａを備えている。そして、その上部ステー24の中にフレキシブル電線23を通している。
【００２４】
フレキシブル電線23は、プリンタのヘッド部と制御部を接続しているものと同様のもので、屈曲や移動に耐えるフィルム状のプリント基板である。
【００２５】
操作ボックス20は、ホルダ25に脱着自在に装着保持される。そして、そのホルダ25が、上部ステー24にスライド自在に取り付けられる。
【００２６】
ホルダ25には、装着された操作ボックス20に信号を送受させるためコネクタ26が設けられている。このコネクタ26の裏面にはプリント基板があり、そのプリント基板上の別のコネクタにフレキシブル電線23が接続される。
【００２７】
本実施形態のフレキシブル電線23は、帯状で、例えば、幅が約１５ｍｍ、厚みが約０．３ｍｍ、全長が約１０００ｍｍで、内部に２０本の信号パターンを配線しているものを使用している。
【００２８】
ホルダ25は、操作ボックス20を保持するホルダ部27と、このホルダ部27を支えて上部ステー24に装着される支持部28とで構成されている。そして、ホルダ部27と支持部28とは、垂直方向に相対移動が規制され水平方向に相対回転自在に嵌り合う上部コア29および下部コア30からなる水平方向角度調整機構を介して、水平方向に相対回転自在に連結されている。
【００２９】
水平方向角度調整機構の上部コア29と下部コア30は、共に樹脂材で、上部コア29が下向き凸形状に作られ、下部コア30が上向き凹形状につくられており、これが嵌合して、人がホルダ部27を手で持って水平方向に回すと、ホルダ部27が、真正面を向いた方向から左向きに２０度まで、右向きに２０度まで首を振るようにスライド回転する。そして、２０度以上スライド回転しないように、ホルダ部27の内部に水平方向角度ストッパー（図示せず）が設けられている。
【００３０】
また、支持部28は、下部に割れ目28ａがあり、その割れ目28ａを挟む下部中央部分に、断面の一部に割れ目31ａのある短筒状で、断面矩形の上部ステー24にスライド方向に移動自在で回転方向に移動規制状態で嵌り合うよう、中心部を上部ステー24の断面外周とほぼ同じ大きさの矩形穴が貫通する内周コア31と、やはり断面の一部に割れ目32ａのある短筒状で、中心部を内周コア31の外径とほぼ同じ大きさの円形穴が貫通する外周コア32とからなる垂直方向角度調整機構が設けられ、ロックつまみ33を右に回すと、支持部28の下部が締まり、外周コア32と内周コア31が締め付けられて、内周コア31と外周コア32とを介して支持部28が上部ステー24に完全に固定され、また、ロックつまみ33を左に回すと、外周コア32と内周コア31の締め付けが緩み、上部ステー24と内周コア31との間の静止摩擦が小さくなって、手でスライド回転できる程度となるよう構成されている。なお、支持部28を組み立てるためのネジは、このロックつまみ33とは別に設けている（図示せず）。
【００３１】
フレキシブル電線23は、図２に示すように折り曲げてホルダ25の内部に配線され、水平方向角度調整機構の上部コア29および下部コア30の中を通して下方へ向け、上部ステー24の天井面に設けた細長い溝24ａから上部ステー24の中に下ろし、再び折り曲げてＵターンさせ、上部ステー24の中を空洞部に平行に左に向け配線している。
【００３２】
フレキシブル電線23は、水平方向角度調整機構の下部コア30の下から次の折り曲げまでの部分が、両面に薄い樹脂板（図示せず）を貼って補強され、操作ボックス20を垂直に対し後方へ倒した時に屈曲できる程度に固くなるようにされている。この補強用の樹脂板は、下部コア30に固定している。
【００３３】
上部ステー24の細長い溝24ａは、上部ステー24の中に異物が混入しないように、溝穴の周囲に毛羽だった弾力のある繊維が取り付けられ、この繊維が蓋となり、操作ボックス20を左右に移動させるときに、フレキシブル電線23の上記樹脂板で補強された部分が、この繊維の蓋を押し広げて移動するよう構成されている。
【００３４】
図３に、操作ボックス20を左、中央、右にスライド固定させた時の、上部ステー24内部のフレキシブル電線23の様子を示す。図３において、黒丸は、上部ステー24の左端側でフレキシブル電線23を固定している部分を表し、破線で示す白丸は、水平方向角度調整機構の位置を表わす。この位置は、補強用の樹脂板を有する部分で、フレキシブル電線23はこの部分でフレキシブル性がなく、固いため、操作ボックス20を右から左にスライドさせる時にはフレキシブル電線23が下部コア30の内面に当接した状態で押し曲がって、図３の（ａ）あるいは（ｂ）に示す状態となり、また、操作ボックス20を左から右にスライドさせる時にはフレキシブル電線23を引き延ばされて、図３の（ｃ）に示すような状態になる。図３の（ｃ）に示すように右端に移動した場合でも、完全に伸びきらないで、図３の（ｃ）に示すように右側にまだ曲げ部を残しておく方が、今度左へ動く時に上部ステー24の内側でフレキシブル電線23がなめらかに動く。
【００３５】
図４は、操作ボックス20を右端に固定して、正面を向いた位置から水平方向に内側へ向けて２０度傾け、更に垂直方向には後方（上向き）に２０度傾けて固定した状態で糊付作業をしている様子を示している。作業者Ｓ１は通常、図４に示すように座って作業することが多い。図４で作業者Ｓ１が座っているのは、壁紙に付けるための糊を入れてきた箱Ｂで、その高さは約５０ｃｍぐらいである。
【００３６】
この状態で、裏面に糊が付いた壁紙Ｋが自動壁紙糊付機本体の前側（人のいる方）へ排出される。そして、設定された長さ分だけ壁紙が排出され、それを作業者Ｓ１がカッターナイフＮで切断する。図４は、左利きの作業者Ｓ１が利き腕の左手にカッターナイフＮを持ち、右手で操作ボックス20を操作している様子を示している。
【００３７】
同じ左利きの人でも、壁紙Ｋを切断する時だけカッターナイフＮを左手に持ち、切断した後すぐにカッターナイフＮを自動壁紙糊付機本体の上部カバー３の上や最寄りの場所に置いて、左手で操作ボックス20を操作する人もいる。この場合は、図５に示す位置に操作ボックス20を固定する。図５は、操作ボックス20を左端に固定し、正面を向いた位置から水平方向に内側へ向けて２０度傾け、更に垂直方向には後方（上向き）に２０度傾けて固定した状態で左利きの作業者Ｓ２が糊付作業をしている様子を示している。
【００３８】
左利きだから左手で操作ボックス20を操作し、右利きだから右手で操作ボックス20を操作するとは限らず、人それぞれの好みでこのように使い分ける。また、大きな工務店では壁紙を貼る職人が数名いる場合が多いが、自動壁紙糊付機は、一人に１台はなく共同で使う場合が多いので、１台の自動壁紙糊付機を、図４に示すように操作ボックス20を右側に固定したり、図５示すように左側に固定したり、それぞれの好みにより使い分けする。また、身長や、座高の高さも人により異なるので、垂直方向の固定角度もその人に合うような角度に調整固定して使う。また、人によっては、真正面より少し右に座って作業したり、あるいは、少し左に座って作業する人もいるので、この場合は、水平方向の固定角度もその人に合うような角度に調整固定して使う。
【００３９】
（第２実施形態）
図６および図７は、本発明の第２実施形態を示す。図６は自動壁紙糊付機の操作部のホルダの構成図で、（ａ）はホルダの内部構造を示す斜視図、（ｂ）はＡ矢視図、（ｃ）は水平方向角度調整機構の断面図、（ｄ）は垂直方向角度調整機構の断面図、図７は自動壁紙糊付機の操作部の移動に伴う上部ステー内部のカールコードの動きを示す説明図で、（ａ）は操作ボックスを左端へ移動させた時の状態図、（ｂ）は操作ボックスを中央へ移動させた時の状態図、（ｃ）は操作ボックスを右端に移動させた時の状態図である。
【００４０】
この実施形態は、先の第１実施形態のフレキシブル電線23に代えて、カールコード41を使用したものである。フレキシブル電線は、柔軟なフィルム状のものにパターン配線した特殊なプリント基板であり、コストが高いため、その替わりにカールコードを使用している。カールコードとは、電話器の受話器の部分と本体を接続している、ら線状に曲がりくせを付けた電線のことであり、本実施形態では内部が２０芯のカールコード41を使用している。
【００４１】
そして、図６に示すように、先の第１実施形態の断面矩形の筒状で天井面に細長い溝24ａを有する上部ステー24に代えて、ホルダ25が左右にスライドする範囲にだけ断面が上向き凹形状の溝42ａを設けた上部ステー42を使用し、その溝42ａを樹脂材質の蓋43をはめ込んで閉じている。ホルダ部25の支持部28が移動する範囲の左端より左側と、ホルダ部28が移動する範囲の右端より右側は、通常の矩形断面である。
【００４２】
その他の構成および動作は、先の第１実施形態のものと同様である。図６において、先の第１実施形態の図２と同じ部分には同一の符号を付している。
【００４３】
図７に、操作ボックス20を左、中央、右にスライド固定させた時の、上部ステー42内部のカールコード41の様子を示す。カールコード41は、引き延ばす時（図７で（ａ）の状態から（ｂ）、（ｃ）の状態へ操作ボックス20を右方向へ移動させる時）には、もつれないで伸びるが、縮む時（図７で（ｃ）、（ｂ）の状態から（ａ）の状態へ操作ボックス20を左方向へ移動させる時）には、もつれる場合があるので、人が、上部ステー42の蓋43を外して、カールコード41がもつれないように手を添えながら縮めていって、操作ボックス20を左へ移動させ、終わったら蓋43を装着するようにする。
【００４４】
操作ボックス20の移動位置は、左端、中央、右端の３つの位置に限定しても、その３つの位置が選択できれば、大抵の場合、良好な操作ポジションが得られる。そこで、この実施形態では、例えば、これら３つの位置に合わせて蓋43を２分割し操作ボックス20を選択した位置に移動させた後、左端に移動させた時は右端から詰めて装着し、右端に移動させた時は左端から詰めて装着し、中央に位置する時は左端と右端に寄せて装着するようにしてもよい。
【００４５】
（第３実施形態）
図８および図９は、本発明の第３実施形態を示す。図８は自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図、図９は自動壁紙糊付機の操作部の移動に伴う上部ステー内部の電線の動きを示す説明図で、（ａ）は操作ボックスを左端へ移動させた時の状態図、（ｂ）は操作ボックスを中央へ移動させた時の状態図、（ｃ）は操作ボックスを右端に移動させた時の状態図である。
【００４６】
この実施形態は、先の第２実施形態のカールコード41よりも更にコストの安い普通の電線51を使用した例である。上部ステー42および蓋43の構成は先の第２実施形態のものと同様である。そして、その他の構成および動作は、先の第２実施形態のものと同様である。図８において、先の第２実施形態の図６と同じ部分には同一の符号を付している。
【００４７】
この実施形態の場合は、図９に示すように、線長が異なる３本のコネクタ付きの電線51Ａ，51Ｂ，51Ｃを用意しておき、人がホルダ25の前面上部カバーを外して、電線51Ａ，51Ｂ，51Ｃの先端に設けているコネクタをホルダ内部のコネクタ（図示せず）から外し、また、上部ステー42の蓋43を外し、自動壁紙糊付機本体側面のコネクタケース蓋（図示せず）を開け、コネクタケース蓋のコネクタから抜いて交換する。
【００４８】
蓋43を２分割し、操作ボックス20を選択した位置に移動させた後、左端に移動させた時は右端から詰めて装着し、右端に移動させた時は左端から詰めて装着し、中央に位置する時は左端と右端に寄せて装着するよう構成する点は、先の第２実施形態と同様である。
【００４９】
（第４実施形態）
図１０は、本発明の第４実施形態の自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図である。
【００５０】
この実施形態は、リモコン（赤外線や電波）などの無線通信で、自動壁紙糊付機を駆動するモーターなどの駆動系制御部21との間、および、糊付した壁紙の長さを測定するためのパルス信号発生部22との間のデータを送受する方式の操作ボックス（記憶機能付入出力装置）を備えた自動壁紙糊付機の例である。操作ボックス（記憶機能付入出力装置）を保持するホルダ25Ａのホルダ部27Ａの形状が異なることと、内部に電線がなく、上部ステー24Ａの天井面に溝がないこと以外は、先の第１実施形態と同様である。図１０において、先の第１実施形態の図２と同じ部分には同一の符号を付している。
【００５１】
以上、実施形態を図示の例について説明したが、本発明はこれに限定されるものではなく様々な態様で実施することができる。
【図面の簡単な説明】
【００５２】
【図１】本発明の第１実施形態の自動壁紙糊付機の全体図である。
【図２】本発明の第１実施形態の自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図である。
【図３】本発明の第１実施形態の自動壁紙糊付機の操作部の移動に伴う上部ステー内部のフレキシブル電線の動きを示す説明図で、（ａ）は操作ボックスを左端へ移動させた時の状態図、（ｂ）は操作ボックスを中央へ移動させた時の状態図、（ｃ）は操作ボックスを右端に移動させた時の状態図である。
【図４】本発明の第１実施形態の自動壁紙糊付機の操作ボックスを右端に固定して操作している状態を示す説明図である。
【図５】本発明の第１実施形態の自動壁紙糊付機の操作ボックスを左端に固定して操作している状態を示す説明図である。
【図６】本発明の第２実施形態の自動壁紙糊付機の操作部のホルダの構成図で、（ａ）はホルダの内部構造を示す斜視図、（ｂ）はＡ矢視図、（ｃ）は水平方向角度調整機構の断面図、（ｄ）は垂直方向角度調整機構の断面図である。
【図７】本発明の第２実施形態の自動壁紙糊付機の操作部の移動に伴う上部ステー内部のカールコードの動きを示す説明図で、（ａ）は操作ボックスを左端へ移動させた時の状態図、（ｂ）は操作ボックスを中央へ移動させた時の状態図、（ｃ）は操作ボックスを右端に移動させた時の状態図である。ある。
【図８】本発明の第３実施形態の自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図である。
【図９】本発明の第３実施形態の自動壁紙糊付機の操作部の移動に伴う上部ステー内部の電線を示す説明図で、（ａ）は操作ボックスを左端へ移動させた時の状態図、（ｂ）は操作ボックスを中央へ移動させた時の状態図、（ｃ）は操作ボックスを右端に移動させた時の状態図である。
【図１０】本発明の第４実施形態の自動壁紙糊付機の操作部のホルダの構成図で、（ａ）はホルダの内部構造を示す斜視図、（ｂ）は水平方向角度調整機構の断面図、（ｃ）は垂直方向角度調整機構の断面図である。
【符号の説明】
【００５３】
１  上部フレーム
２  下部フレーム
３  上部カバー
４  下部カバー
５  脚
６  検尺ローラー
７  送り出しローラー
８  ハイテンションローラー
９  ドクターローラー
10  糊付けローラー
11  押えローラー
12  ナラシローラー
13  糊切り
14  糊切りブラケット
15  糊箱
16  取手
17  紙受けブラケット
18  原反芯棒
19  サイド盤
20  操作ボックス
21  モーター駆動制御部
22  パルス発生部
23  フレキシブル電線
24  上部ステー
24ａ  溝
24Ａ  上部ステー
25  ホルダ
25Ａ  ホルダ
26  コネクタ
27  ホルダ部
27Ａ  ホルダ部
28  支持部
29  上部コア
30  下部コア
31  内周コア
31ａ  割れ目
32  外周コア
32ａ  割れ目
33  ロックつまみ
41  カールコード
42  上部ステー
42ａ  溝
43  蓋
51  電線
51Ａ、51Ｂ、51Ｃ  電線
Ｎ  カッターナイフ
Ｓ１、Ｓ２  作業者
【図１】
2007196196.tif 000003
【図２】
2007196196.tif 000004
【図３】
2007196196.tif 000005
【図４】
2007196196.tif 000006
【図５】
2007196196.tif 000007
【図６】
2007196196.tif 000008
【図７】
2007196196.tif 000009
【図８】
2007196196.tif 000010
【図９】
2007196196.tif 000011
【図１０】
2007196196.tif 000012